(57)【特許請求の範囲】
【請求項１】
音声を含む放送電波を受信し、受信信号から音声信号を得るラジオ受信機において、
前記放送電波の受信レベルの変動に基づいてフェージングを検出するフェージング検出部と、
フェージングを検出した場合に、前記音声信号に対し、前記フェージングの影響で生じる再生音の変化を抑える音声補正を行う音声補正部とを備え、
前記フェージング検出部は、前記受信レベルを示すＳメータが予め定めた最小レベル、及び最大レベルの範囲にある場合に、最大レベルになる回数でＳメータの周期を求め、前記周期がフェージング判定範囲内であり、且つ、前記周期で振幅する回数が予め定めた閾値を超えた場合に、フェージング有りと検出し、
前記周期で振幅する回数が予め定めた閾値を超えた場合の平均回数を求め、この平均回数が予め定めた閾値を超えたか否かを判定し、
前記音声補正部は、前記平均回数が予め定めた閾値を超えた場合に、前記音声補正を行うことを特徴とするラジオ受信機。
【請求項２】
前記音声補正部は、前記音声補正として、前記フェージングの影響で生じる音量変化を抑えるソフトミュートを行うことを特徴とする請求項１に記載のラジオ受信機。
【請求項３】
前記音声補正部は、前記音声補正として、前記ソフトミュートの影響による再生音の変化を抑える他の音声補正処理を行うことを特徴とする請求項２に記載のラジオ受信機。
【請求項４】
前記他の音声補正処理は、前記受信レベルに応じて音声の高域レベルを下げるハイカット、及び、前記受信レベルに依存せずに音声の周波数特性を調整するオーディオフィルタを含むことを特徴とする請求項３に記載のラジオ受信機。
【請求項５】
前記フェージング検出部は、前記受信レベルの変化量と変動周期とに基づいて、フェージング量の大小を判定し、
前記音声補正部は、前記フェージング量の大小に応じたフェージングの影響による再生音の変化を抑制するように前記音声補正の設定を変更することを特徴とする請求項１乃至４のいずれかに記載のラジオ受信機。
【請求項６】
前記放送電波は、サイマル放送されるデジタルラジオ放送とアナログラジオ放送のうちのアナログラジオ放送であり、
前記デジタルラジオ放送を受信する受信機能を備え、
前記デジタルラジオ放送の受信状態が悪化すると、前記アナログラジオ放送に切り替えることを特徴とする請求項１乃至５のいずれかに記載のラジオ受信機。
【発明の詳細な説明】
【技術分野】
【０００１】
本発明は、アナログラジオ放送などの放送電波を受信するラジオ受信機に関する。
【背景技術】
【０００２】
ラジオ受信機には、アナログラジオ放送用の信号処理回路に弱電界処理回路を備え、弱電界処理回路によりミュート等の選局チャネルの受信状態に応じた処理を行うものがある（例えば、特許文献１参照）。
【先行技術文献】
【特許文献】
【０００３】
【特許文献１】特開２０１１−１０９３７８号公報
【発明の概要】
【発明が解決しようとする課題】
【０００４】
ところで、放送電波が大気中の電離層などで反射することによってフェージングが生じることがある。フェージングは、電波が送信点から受信点に届く間に電離層などの影響で電波が反射するときの作用で電波を強め合ったり、弱め合ったりすることで電波の強弱を招く現象である。
特に、夜間のＡＭラジオ放送は遠方から放送波が到来し易く、フェージングが発生しやすい特徴がある。フェージングが発生すると、受信中の音量変化が激しく、聞きづらくなることがある。
【０００５】
本発明は、上述した事情に鑑みてなされたものであり、フェージングの影響による音声の違和感を抑えることが可能なラジオ受信機を提供することを目的とする。
【課題を解決するための手段】
【０００６】
上記目的を達成するために、本発明は、音声を含む放送電波を受信し、受信信号から音声信号を得るラジオ受信機において、前記放送電波の受信レベルの変動に基づいてフェージングを検出するフェージング検出部と、フェージングを検出した場合に、前記音声信号に対し、前記フェージングの影響で生じる再生音の変化を抑える音声補正を行う音声補正部とを備え、前記フェージング検出部は、前記受信レベルを示すＳメータが予め定めた最小レベル、及び最大レベルの範囲にある場合に、最大レベルになる回数でＳメータの周期を求め、前記周期がフェージング判定範囲内であり、且つ、前記周期で振幅する回数が予め定めた閾値を超えた場合に、フェージング有りと検出し、前記周期で振幅する回数が予め定めた閾値を超えた場合の平均回数を求め、この平均回数が予め定めた閾値を超えたか否かを判定し、前記音声補正部は、前記平均回数が予め定めた閾値を超えた場合に、前記音声補正を行うことを特徴とする。
【０００７】
また、上記構成において、前記音声補正部は、前記音声補正として、前記フェージングの影響で生じる音量変化を抑えるソフトミュートを行うようにしても良い。
【０００８】
また、上記構成において、前記音声補正部は、前記音声補正として、前記ソフトミュートの影響による再生音の変化を抑える他の音声補正処理を行うようにしても良い。
【０００９】
また、上記構成において、前記他の音声補正処理は、前記受信レベルに応じて音声の高域レベルを下げるハイカット、及び、前記受信レベルに依存せずに音声の周波数特性を調整するオーディオフィルタを含むようにしても良い。
【００１０】
また、上記構成において、前記フェージング検出部は、前記受信レベルの変化量と変動周期とに基づいて、フェージング量の大小を判定し、前記音声補正部は、前記フェージング量の大小に応じたフェージングの影響による再生音の変化を抑制するように前記音声補正の設定を変更するようにしても良い。
【００１３】
また、上記構成において、前記放送電波は、サイマル放送されるデジタルラジオ放送とアナログラジオ放送のうちのアナログラジオ放送であり、前記デジタルラジオ放送を受信する受信機能を備え、前記デジタルラジオ放送の受信状態が悪化すると、前記アナログラジオ放送に切り替えるようにしても良い。
【発明の効果】
【００１４】
本発明によれば、フェージングを検出した場合に、フェージングの影響で生じる再生音の変化を抑える音声補正を行うので、フェージングの影響による音声の違和感を抑えることが可能になる。
【図面の簡単な説明】
【００１５】
【図１】本発明の実施形態に係るラジオ受信機の構成を示すブロック図である。
【図２】ラジオ受信機のアナログラジオ信号処理部の機能構成を示すブロック図である。
【図３】ラジオ受信機の動作を示すフローチャートである。
【図４】フェージング時のＳメータの時間変化例を示した図である。
【図５】フェージング量の大小の判定の説明に供する図である。
【図６】フェージング用のパラメータ設定を模式的に示す図である。
【図７】ソフトミュートの設定を示す図であり、図７（Ａ）は補正カーブ、図７（Ｂ）は補正カーブの設定値を示す図である。
【図８】ハイカットの設定を示す図であり、図８（Ａ）は補正カーブ、図８（Ｂ）は補正カーブの設定値を示す図である。
【図９】オーディオフィルタの設定を示す図であり、図９（Ａ）は補正カーブ、図９（Ｂ）は補正カーブの設定値を示す図である。
【発明を実施するための形態】
【００１６】
以下、図面を参照して本発明の実施の形態について説明する。
図１は本実施形態に係るラジオ受信機１の構成を示すブロック図である。
このラジオ受信機１は、車両に搭載される車載用ラジオ受信機であり、ラジオ放送局から放送されたＤＲＭ（Digital Radio Mondiale）方式のラジオ放送等を受信可能なＤＲＭラジオに構成されている。
ＤＲＭ方式は、ＡＭ（振幅変調）のラジオ放送（いわゆるＡＭ放送）に適用され、特にＳＷ（短波、２．３ＭＨｚ〜２７ＭＨｚ）を中心としたデジタルラジオに適用される方式であり、ＬＷ（長波）／ＭＷ（中波）／ＳＷのバンド対応になっている。ＤＲＭラジオでは、デジタルの放送周波数の放送（デジタルラジオ放送）と、アナログの放送周波数の放送（アナログラジオ放送）でサイマル放送がされている。
【００１７】
一般に、デジタルラジオ放送を受信している場合には、安定した音質で音声（ラジオ音声）を出力することができる。一方、アナログラジオ放送、特にＳＷの放送は、大気中の電離層の変化で電波が反射し易く、電離層の影響を受けやすい。このため、フェージングの影響で電波の強弱が生じると、ラジオ受信機の再生音量が大きくなったり、小さくなったりして音声の違和感やユーザーの不快感を招いてしまう。特に夜間のアナログラジオ放送は、遠方から放送波が到来し易くなり、フェージングが発生し易くなる。
【００１８】
ＤＲＭラジオ放送は、デジタルラジオ放送のサービスエリアから外れたり受信状態がなった場合に対応できるよう、ＤＲＭ放送の信号に、アナログラジオ放送の代替周波数等のデータが含まれており、そのデータをもとに、系列局のアナログラジオ放送の周波数へ切り替えることができる。その切り替えによってアナログラジオ放送のときに、フェージングの影響で音声が周期的に変動すると、デジタルラジオ放送とアナログラジオ放送の音声品質差が目立ってしまい、音声の違和感を招き易い。また、デジタルラジオ放送を受信している場合に、走行中の橋桁をくぐる際等に電界が急激に変動して受信できなくなり、音声がでない場合が生じる。
本実施形態のラジオ受信機１は、フェージングの影響による音声の違和感を抑えることが可能な構成に形成されている。
【００１９】
図１に示すように、ラジオ受信機１は、デジタルラジオ放送、及びアナログラジオ放送のラジオ放送を受信可能なラジオチューナ部１１と、各種の信号処理を行う信号処理部１２と、デジタルラジオ放送のデコード処理を行うデジタルラジオデコーダ部１３と、アナログラジオ放送、及びデジタルラジオ放送の音声信号を入力して外部のスピーカ１４を駆動するオーディオパワーアンプ部１５と、各部を制御するマイクロコンピュータ１６と、各種データを保持するフラッシュメモリ１７と、各種情報を表示するディスプレイ１８とを備えている。
ラジオチューナ部１１は、アンテナ２１が受信した電波から受信局のＲＦ（Radio Frequensy）信号を得、このＲＦ信号と不図示の局部発振器の信号とを混合して中間周波信号であるＩＦ（Intermediate Frequency）信号（図１中、「ＩＦ」）に変換する。
【００２０】
信号処理部１２において、Ａ／Ｄコンバータ２２は、ラジオチューナ部１１が出力する受信信号（ＩＦ信号）をアナログデジタル変換し、アナログラジオ放送の受信信号については信号処理部１２内のアナログラジオ信号処理部２３に出力し、デジタルラジオ放送の受信信号についてはデジタルラジオデコーダ部１３に出力する。
デジタルラジオデコーダ部１３は、入力したデジタルラジオ放送の受信信号（図１中、「デジタルＩＦ」）にデコード処理を行って音声信号（以下、デジタル放送音声信号）を得、このデジタル放送音声信号（図１中、「ＳＤ」）を、信号処理部１２内のオーディオ信号処理部２４に出力する。
図１に示すように、デジタルラジオデコーダ部１３は、受信品質を示すビットエラーレート（ＢＥＲ）を検出するＢＥＲ検出部１３Ａを備え、検出結果をマイクロコンピュータ１６が監視することができる。
【００２１】
アナログラジオ信号処理部２３は、入力したアナログラジオ放送の受信信号に復調処理を行ってアナログラジオ放送の音声信号を得、この音声信号に音質改善の音声処理を施して、音声信号（以下、アナログ放送音声信号）（図１中、「ＳＡ」）をオーディオ信号処理部２４に出力する。
この音質改善の音声処理には、後段に説明するように、受信レベルの変動に伴う音量変化を抑えるソフトミュート処理、音声の高域レベルを下げるハイカット処理、及び、音声の周波数特性を調整するオーディオフィルタ処理等の音声補正処理が含まれる。
また、アナログラジオ信号処理部２３は、アナログラジオ放送の受信レベル（受信電界強度）を示すＳメータ信号を、入力したアナログラジオ放送の受信信号（ＩＦ信号）から検出するＳメータ検出部２３Ａを備えており、検出結果をマイクロコンピュータ１６が監視することができる。
【００２２】
オーディオ信号処理部２４は、デジタルラジオデコーダ部１３が出力するデジタル放送音声信号ＳＤ、及び、アナログラジオ信号処理部２３が出力するアナログ放送音声信号ＳＡを入力し、これら音声信号ＳＤ、ＳＡに所定の音声処理を行った後、Ｄ／Ａコンバータ２５に出力する。Ｄ／Ａコンバータ２５は、入力した音声信号ＳＤ、ＳＡをデジタルアナログ変換してオーディオパワーアンプ部１５に出力する。これによって、オーディオパワーアンプ部１５によりデジタル放送音声信号ＳＤに対応する音声、又はアナログ放送音声信号ＳＡに対応する音声がスピーカ１４から出力される。
【００２３】
図２はアナログラジオ信号処理部２３の機能構成を示すブロック図である。なお、図２中、破線で示すラインは、マイクロコンピュータ１６との間の通信ラインを示している。
アナログラジオ信号処理部２３は、ＤＳＰ（Digital Signal Pocessor）で構成され、Ｓメータを調整するＳメータ調整部３１と、Ｓメータ出力部３２と、ソフトミュートのパラメータ（後述するソフトミュート設定１、２、３等）を設定するソフトミュート設定部３３と、信号レベルを減衰させるアッテネータ３４と、ハイカット処理のパラメータ（後述するハイカット設定１、２、３等）を設定するハイカット設定部３５と、オーディオフィルタのパラメータ（後述するオーディオフィルタ設定１、２、３等）を設定するオーディオフィルタ設定部３６と、音声信号の周波数特性を調整するオーディオフィルタ部３７として機能するように構成されている。
【００２４】
Ｓメータ調整部３１は、受信する放送局の受信電界強度を示すＳメータを事前に合わせ込んでおく補正を行い、その設定はマイクロコンピュータ１６によって行うことができる。Ｓメータ出力部３２は、Ｓメータ調整部３１が出力するＳメータ信号を外部出力することで、マイクロコンピュータ１６がＳメータ信号を取得することができる。このＳメータ調整部３１、及びＳメータ出力部３２が、図１のＳメータ検出部２３Ａを構成している。
ソフトミュート設定部３３は、マイクロコンピュータ１６からの指示に基づき、Ｓメータに応じて音量を変化させるソフトミュートのパラメータを設定する。アッテネータ３４は、ソフトミュート設定部３３の設定に従ってソフトミュートの処理を行う。
【００２５】
ハイカット設定部３５は、マイクロコンピュータ１６からの指示に基づき、Ｓメータに応じて高域の周波数特性を変化させるハイカットのパラメータを設定する。オーディオフィルタ設定部３６は、Ｓメータに応じて音声の周波数特性を変化させるべくＳメータ出力を基準としてオーディオフィルタのパラメータを設定する。オーディオフィルタ部３７は、ハイカット設定部３５、及びオーディオフィルタ設定部３６の設定に従ってハイカット、及びオーディオフィルタの処理を行う。
【００２６】
マイクロコンピュータ１６は、ＣＰＵ、ＲＯＭ、ＲＡＭ及び周辺回路を有し、ラジオ受信機１を中枢的に制御する制御部として機能する。フラッシュメモリ１７には、マイクロコンピュータ１６が使用する制御プログラムや音声補正用の後述するパラメータ等のデータが格納されている。またマイクロコンピュータ１６は、フラッシュメモリ１７に格納される制御プログラムを実行することにより、公知のラジオ受信機が行う選局処理等を行うことができる。
さらに、この制御プログラムには、フェージングを検出するための制御プログラム、及びフェージングの影響による音声の違和感を抑える音声補正を行うための制御プログラムが含まれている。続いて、このラジオ受信機１の動作を説明する。
【００２７】
図３はラジオ受信機１の動作を示すフローチャートである。
ステップＳ１において、マイクロコンピュータ１６は、ＤＲＭラジオ放送（デジタルラジオ放送）を受信中か否かを判定し、受信中であればステップＳ２の処理に移行し、受信中でなければ、例えば、アナログラジオ放送を受信中で受信周波数を変更する場合はステップＳ３の処理に移行する。
ステップＳ２において、マイクロコンピュータ１６は、デジタルラジオ放送の受信状態をチェックする。具体的には、マイクロコンピュータ１６は、ＢＥＲ検出部１３Ａ（図１）によって検出されるビットエラーレート（ＢＥＲ）に基づいて受信状態を判定し、ＢＥＲが、受信状態が良い閾値範囲の場合は受信を継続してステップＳ２１の処理へ移行する。一方、ＢＥＲが、受信状態が悪い閾値範囲の場合には、ステップＳ３の処理に移行し、受信していたデジタルラジオ放送の系列局が放送するアナログラジオ放送を受信するための以下の処理を開始する。
【００２８】
ステップＳ３において、マイクロコンピュータ１６は、アナログラジオ受信の共通設定を行う。例えば、パルスタイプのノイズ対策に有効なノイズブランカー等の設定を行い、上述したアナログラジオ信号処理部２３、又は不図示のノイズブランカー回路等を利用してノイズブランカー等を行う。
次に、マイクロコンピュータ１６は、受信可能局のチェック（ステップＳ４）、第１のフェージングチェック（ステップＳ５）、時間帯チェック（ステップＳ６）、及び第２のフェージングチェック（ステップＳ７）を行う。
【００２９】
ステップＳ４において、マイクロコンピュータ１６は、受信局毎にＳメータ信号が受信可能レベルの閾値範囲か否かを判定することにより、受信可能局か否かを判別する。また、ステップＳ５において、マイクロコンピュータ１６は、ＬＷ／ＭＷ／ＳＷのいずれのバンドがフェージングチェック対象か否かをチェックする。このフェージング対象か否かのチェック処理は、マイクロコンピュータ１６を用いて予め設定された設定データに基づき行われる。例えば、フェージングの影響が相対的に大きいＳＷだけをフェージングチェック対象に設定しておくことで、ＬＷ／ＮＷを受信するためのソフトウェア処理の時間を短縮することが可能である。
【００３０】
ステップＳ６において、マイクロコンピュータ１６は、フェージングチェック対象の時間帯か否かをチェックする。このチェック処理についても、ステップＳ５と同様に、マイクロコンピュータ１６を用いて予め設定された設定データに基づき行われる。例えば、特にフェージングが発生しやすい夜間だけをフェージングチェック対象に設定しておくことができる。
ステップＳ７では、マイクロコンピュータ１６がＳメータに基づいてフェージングの検出処理（フェージング検出処理）を行う。
【００３１】
ステップＳ７のフェージング検出処理について説明する。
図４はフェージング時のＳメータの時間変化例を示した図である。
マイクロコンピュータ１６は、Ｓメータの最小レベル（Ｓメータ最小レベル）、Ｓメータの最大レベル（Ｓメータ最大レベル）、及びＳメータの変動周期（Ｓメータ周期）を取得し、これら情報に基づいてフェージングの有無を判定する。より具体的には、フェージングの判定を行うための閾値として、Ｓメータ最小レベルの閾値Ｌ１、Ｓメータ最大レベルの閾値Ｌ２、Ｓメータ周期の閾値Ｌ３、Ｓメータの変動回数ｎ１の閾値Ｌ４、及び上記閾値Ｌ１〜Ｌ４を満足する平均回数ｎ２の閾値Ｌ５が予め設定される。マイクロコンピュータ１６は、Ｓメータのレベルが閾値Ｌ１〜Ｌ２の間にある場合に、最大レベルになる回数でＳメータ周期を求め、そのＳメータ周期が閾値Ｌ３で定めたフェージング判定範囲内である場合に、Ｓメータが振幅する回数（変動回数ｎ１）が閾値Ｌ４で設定した一定回数を超えると、フェージング有りと判定する。
これによって、受信レベルの短時間の変動をフェージングと検出する場合を回避でき、フェージングを精度良く検出することができる。
【００３２】
更に本実施形態では、ある程度継続するフェージングか否かを判定するために、マイクロコンピュータ１６が、上記閾値Ｌ１〜Ｌ４を満足する回数の所定時間毎の平均回数ｎ２を求め、この平均回数ｎ２が閾値Ｌ５を超えた場合に、フェージング有りと判定する。これによって、安定してフェージングが続いている場合に、フェージング有りと判定し、フェージングの判定精度をより高めることができる。このようにして、マイクロコンピュータ１６は、フェージングを検出するフェージング検出部としても機能することができる。
なお、平均回数ｎ２の算出、及び平均回数ｎ２と閾値Ｌ５との比較を省略しても良く、また、他のフェージング判定方法を適用しても良い。
【００３３】
また、ステップＳ７では、フェージング量の大小の判定も行う。この判定については後段に説明する。
ステップＳ７でフェージング無しと判定すると、マイクロコンピュータ１６は、ステップＳ８の処理に移行し、「通常受信用のパラメータ設定ＰＡ」を設定してアナログラジオ受信を行う。このパラメータ設定ＰＡについては、弱電界（Ｓメータが小さい）ほどノイズが大きくなるので、それに応じてソフトミュート機能により音量を下げ、ハイカット機能で高域の音量を下げる設定を行う。
【００３４】
一方、ステップＳ７でフェージング有りと判定すると、マイクロコンピュータ１６は、「３種類のフェージング用のパラメータ設定ＰＢ１、ＰＢ２、ＰＢ３」をＡｕｔｏ（自動）で選択するか、Ｍａｎｉａｌ（手動）で選択するか否かを判定する。この判定は、マイクロコンピュータ１６を用いて予め設定された設定データに基づき行われる。
続くステップＳ１０において、マイクロコンピュータ１６は、Ａｕｔｏ（自動）の場合、フェージング量の大小に応じてパラメータ設定ＰＢ１、ＰＢ２、及びＰＢ３のいずれかを選択し、Ｍａｎｕａｌ（手動）の場合、パラメータ設定ＰＢ１、ＰＢ２、ＰＢ３の中から予め指定されたパラメータ設定を選択する。そして、選択したいずれかのパラメータ設定ＰＢ１、ＰＢ２、ＰＢ３を設定し、アナログラジオ受信を行う（ステップＳ１１〜Ｓ１３）。
【００３５】
また、本実施形態では、ＤＲＭラジオ放送（デジタルラジオ放送）を受信中で、受信状態が良い閾値範囲の場合でも、第１のフェージングチェック（ステップＳ２１）、時間帯チェック（ステップＳ２２）、及び第２のフェージングチェック（ステップＳ２３）を行う。
このようにデジタルラジオ放送受信中にもフェージングチェックを行うことにより、デジタルラジオ放送受信中に走行中の橋桁くぐり等で受信電界強度が急激に変動して受信できず音声が出力されなくなる事態を事前に検出でき、音声が途切れたままとならないよう後述するステップＳ２３の対応を早めに実行することが可能になる。なお、これらステップＳ２１〜Ｓ２３の処理は上記ステップＳ５〜Ｓ７と同様である。
【００３６】
ステップＳ２３において、フェージングが有り、フェージング量が大と判定した場合、マイクロコンピュータ１６は、音声の途切れを抑制する対応処理を行う（ステップＳ２４）。
この対応処理としては、例えば、以下の第１処理、第２処理があり、いずれの処理を行うかは、マイクロコンピュータ１６を用いて予め設定された設定データに基づき決定される。
第１処理は、予め保持された情報に基づいて系列局のＤＲＭ局に自動的に切り替えて別のＤＲＭラジオ放送（デジタルラジオ放送）を受信する処理である。また、第２処理は、アナログラジオ放送の受信に切り替えることをユーザーに促す報知処理である。この報知処理は、スピーカ１４から報知情報を出力する処理や、ディスプレイ１８への報知情報の表示を行うようにすれば良い。なお、上記第１処理、第２処理には、フェージングの影響による音声の途切れを抑制可能な各種の処理を適用可能である。
【００３７】
一方、ステップＳ２３において、フェージング無し、或いは、フェージング量が小と判定した場合、マイクロコンピュータ１６は、デジタルラジオ放送の受信を継続する（ステップＳ２５）。以上がラジオ受信機１の動作である。
【００３８】
続いて、ステップＳ７、Ｓ２３で行われる「フェージング量の大小の判定」について説明する。図５はフェージング量の大小の判定の説明に供する図である。
本実施形態では、フェージング有りの場合、再生音の違和感を基準にしてフェージング量の大小を特定すべく、Ｓメータのレベル変化と、Ｓメータ周期との組み合わせに基づいてフェージング量の大小を判定している。
【００３９】
この場合、マイクロコンピュータ１６は、Ｓメータのレベル変化が相対的に小さく、Ｓメータ周期が相対的に長い場合に、再生音声の違和感が最も小さくなるので、この条件のときにフェージング量が小と判定する。また、マイクロコンピュータ１６は、Ｓメータのレベル変化が相対的に大きく、Ｓメータ周期が相対的に短い場合に、再生音声の違和感が最も大きくなるので、この条件のときにフェージング量が大と判定する。また、Ｓメータのレベル変化が小さく、Ｓメータ周期が短い場合、若しくは、Ｓメータのレベル変化が大きく、Ｓメータ周期が長い場合にフェージング量が中と判定する。
【００４０】
図６はフェージング用のパラメータ設定ＰＢ１、ＰＢ２、ＰＢ３を模式的に示す図である。各パラメータ設定ＰＢ１、ＰＢ２、ＰＢ３は、ソフトミュート設定、ハイカット設定、及びオーディオフィルタ設定を含んでいる。
フェージングに最も有効なのはソフトミュートである。ソフトミュートを使用することにより、フェージングの影響による音量変化を抑制することができる。
またノイズ感の補正にハイカット、及びオーディオフィルタが用いられる。例えば、弱電界で音声出力を下げる方向にソフトミュート設定を弱めると、ノイズがきつく聞こえるため、ハイカットを効かせ、且つ、オーディオフィルタで高域を下げることにより、ノイズ感を低減して音質変化を抑え、聞き易い音質に補正することが可能である。これにより、フェージング時のソフトミュートの影響による音質変化をハイカット、及びオーディオフィルタによって抑えることができる。
【００４１】
同図に示すように、フェージング量が小（図６中、フェージング小）の時に使用されるパラメータ設定ＰＢ１は、ソフトミュート設定１、ハイカット設定１、及びオーディオフィルタ設定１を含んでいる。また、フェージング量が中（図６中、フェージング中）の時に使用されるパラメータ設定ＰＢ２は、ソフトミュート設定２、ハイカット設定２、及びオーディオフィルタ設定２を含んでいる。また、フェージング量が大（図６中、フェージング大）の時に使用されるパラメータ設定ＰＢ３は、ソフトミュート設定３、ハイカット設定３、及びオーディオフィルタ設定３を含んでいる。
【００４２】
以下、ソフトミュート、ハイカット、オーディオフィルタの設定を説明する。図７はソフトミュートの設定を示す図であり、図７（Ａ）は補正カーブ、図７（Ｂ）は補正カーブの設定値を示している。
ソフトミュートは、Ｓメータのレベルが下がったら音声出力を落として音量を小さく機能として用いられ、通常受信用のパラメータ設定ＰＡ、フェージング用のパラメータ設定ＰＢ１、ＰＢ２、ＰＢ３で使用されるソフトミュート設定１、２、３がある。
図７（Ａ）に示すように、通常受信用のパラメータ設定ＰＡでは、中電界（値２０）よりも大きい場合は音量変化がなく、中電界以下で電界が変動すると音量変化が大きくなる。このパラメータ設定ＰＡに対し、ソフトミュート設定１は音量変化を抑える補正カーブに設定され、ソフトミュート設定２はソフトミュート設定１よりも音量変化を抑える補正カーブに設定され、ソフトミュート設定３はソフトミュート設定２よりも音量変化を抑える補正カーブに設定される。
【００４３】
図７（Ｂ）に示すように、これら補正カーブは、動作開始位置Ａ、動作終了位置Ｂ、及び減衰量Ｃによって設定することができる。なお、図７（Ａ）には、パラメータ設定ＰＡの動作開始位置Ａ、動作終了位置Ｂ、及び減衰量Ｃを示している。
つまり、パラメータ設定ＰＡからソフトミュート設定１、２、３に変わるに従って、音量変化をより抑える。
このため、例えば、Ｓメータが値１０〜値２０の範囲で変動した場合、パラメータ設定ＰＡでは、符号ｆａで示す大きい音量変化が生じるのに対し、ソフトミュート設定３では、符号ｆｂで示す小さい音量変化で済み、Ｓメータの変動の影響による音量変化を小さくすることができる。
【００４４】
図８はハイカットの設定を示す図であり、図８（Ａ）は補正カーブ、図８（Ｂ）は補正カーブの設定値を示している。
ハイカットは、Ｓメータのレベルが下がったら高域をカットしてノイズを小さくする機能として用いられ、通常受信用のパラメータ設定ＰＡ、フェージング用のパラメータ設定ＰＢ１、ＰＢ２、ＰＢ３で使用されるハイカット設定１、２、３がある。
ハイカットは、高域の周波数毎（１ｋＨｚ、４ｋＨｚ等）に補正カーブが設定され、高域ほど減衰するように補正カーブが設定される。図８（Ａ）には代表特性として４ｋＨｚの補正カーブを示している。４ｋＨｚの補正カーブは、１ｋＨｚの補正カーブよりも音声出力レベルを低くする補正カーブとされ、通常受信用のパラメータ設定ＰＡからハイカット設定１、２、３に変わるに従って、高域の音声出力レベルをより抑える。
【００４５】
図８（Ｂ）に示すように、ハイカットの補正カーブは、カットオフ周波数毎の動作開始位置Ａ、及び動作終了位置Ｂにより設定することができる。なお、図８（Ａ）には、パラメータ設定ＰＡの動作開始位置Ａ、及び動作終了位置Ｂを示している。
本実施形態では、パラメータ設定ＰＡからハイカット設定１、２、３に変わるに従って、動作開始位置Ａ、及び動作終了位置Ｂを強電界側にシフトすることで、高域の音声出力レベルをより抑えた補正特性を得ている。
これにより、パラメータ設定ＰＡからソフトミュート設定１、２、３に変わるに従って音量変化が抑えられることによって目立つノイズをより抑えることができ、ノイズ感を抑えた音質に補正することができる。
【００４６】
図９はオーディオフィルタの設定を示す図であり、図９（Ａ）は補正カーブ、図９（Ｂ）は補正カーブの設定値を示している。
オーディオフィルタは、Ｓメータに依存せずに音声の周波数特性を変化させて音質を変化させる固定フィルタとして用いられ、通常受信用のパラメータ設定ＰＡ、フェージング用のパラメータ設定ＰＢ１、ＰＢ２、ＰＢ３で使用されるオーディオフィルタ設定１、２、３がある。
オーディオフィルタは、図９（Ａ）に示すように、高域を減衰させる周波数特性に補正する補正カーブが設定され、通常受信用のパラメータ設定ＰＡかオーディオフィルタ設定１、２、３に変わるに従って、高域の音声出力レベルをより抑える。
【００４７】
図９（Ｂ）に示すように、オーディオフィルタの補正カーブは、カットオフ周波数ｆにより設定することができる。なお、図９（Ａ）には、パラメータ設定ＰＡのカットオフ周波数ｆを示している。
本実施形態では、パラメータ設定ＰＡからオーディオフィルタ設定１、２、３に変わるに従ってカットオフ周波数ｆを下げることにより、Ｓメータに依存せずに高域の音声出力をより抑えた補正特性を得ている。
これにより、パラメータ設定ＰＡからソフトミュート設定１、２、３に変わるに従って音量変化が抑えられることによって目立つノイズを抑え、ノイズ感を抑えた音質に補正することができる。
【００４８】
なお、ソフトミュートとハイカットについては、時定数の設定も含まれ、この時定数の設定により、アタックタイム（受信電界強度が下がった時をトリガーに、設定したカーブが完了するまでの時間）や、リカバリータイム（受信電界強度が上がった時をトリガーに、設定したカーブが完了するまでの時間）を調整できる。時間設定が短いほど、ノイズ軽減に有効であるが、音量変化や音質の変化が急激に変わり違和感が生じるおそれがある。時定数についても、通常受信時と、フェージング時とで別々に設定することが可能である。
【００４９】
以上説明したように、本実施の形態によれば、音声を含む放送電波であるアナログラジオ信号を受信し、受信信号から音声信号を得るラジオ受信機１において、マイクロコンピュータ１６が放送電波の受信レベルを示すＳメータの変動に基づいてフェージングを検出するフェージング検出部として機能し、アナログラジオ信号処理部２３が、フェージングを検出した場合に、音声信号に対し、フェージングの影響で生じる再生音の変化を抑える音声補正を行う音声補正部として機能するので、フェージングの影響による音声の違和感を抑えることができる。
【００５０】
また、アナログラジオ信号処理部２３は、上記音声補正として、Ｓメータの変動に伴う音量変化を抑えるソフトミュートを行うので、フェージングの影響で生じる音量変化を十分に抑えることが可能になる。また、アナログラジオ信号処理部２３は、上記音声補正として、ソフトミュートの影響による再生音の変化を抑えるハイカット、及びオーディオフィルタ（他の音声補正処理）を行うので、ソフトミュートの影響によって目立つノイズを抑えることが可能である。
【００５１】
しかも、Ｓメータに応じて音声の高域レベルを下げるハイカットと、Ｓメータに依存せずに音声の周波数特性を調整するオーディオフィルタとを組み合わせるので、ノイズ感を効率良く低減することができ、聞き易い音質に補正し易くなる。これらにより、フェージングの影響による音量変化、ノイズ感のいずれかも低減でき、良好な音質に補正することが可能になる。
【００５２】
また、マイクロコンピュータ１６は、Ｓメータのレベル変化と変動周期とに基づいてフェージング量の大小を判定し、フェージング量の大小に応じたフェージングの影響による再生音の変化を抑えるようにソフトミュート、ハイカット、及びオーディオフィルタの設定を変更するので、フェージング量の大小に合わせて音声の違和感を適切に抑えることが可能になる。
【００５３】
また、マイクロコンピュータ１６は、受信レベルを示すＳメータが予め定めた最小レベル（閾値Ｌ１）、及び最大レベル（閾値Ｌ２）の範囲にある場合に、最大レベルになる回数でＳメータの周期を求め、そのＳメータの周期がフェージング判定範囲（閾値Ｌ３）内であり、且つ、前記周期で振幅する回数（変動回数ｎ１）が予め定めた閾値Ｌ４を超えた場合に、フェージング有りと検出するので、Ｓメータのレベル変化に基づきフェージングを精度良く検出することができる。
【００５４】
しかも、マイクロコンピュータ１６は、変動回数ｎ１が予め定めた閾値Ｌ４を超えた場合の平均回数ｎ２を求め、この平均回数ｎ２が予め定めた閾値Ｌ５を超えたか否かを判定し、アナログラジオ信号処理部２３は、平均回数ｎ２が予め定めた閾値Ｌ５を超えた場合に、フェージングの影響で生じる再生音の変化を抑える音声補正を行うので、継続したフェージングが生じている場合に、そのフェージングの影響による音声の違和感を抑えることができる。
【００５５】
また、本実施形態のラジオ受信機１は、サイマル放送されるデジタルラジオ放送とアナログラジオ放送を受信する受信機能を備え、デジタルラジオ放送の受信状態が悪化すると、アナログラジオ放送に切り替えるので、アナログラジオ放送に切り替える際に、フェージングの影響によりデジタルラジオ放送とアナログラジオ放送の音声品質差がより目立ってしまう、という事態を抑制可能なサイマル放送対応のラジオ受信機を提供することができる。
【００５６】
なお、上述した実施形態は、あくまでも本発明の一実施の態様を例示するものであって、本発明の趣旨を逸脱しない範囲で任意に変形、及び応用が可能である。
例えば、上述した実施形態では、フェージングを検出した場合に、ソフトミュート、ハイカット、及びオーディオフィルタの処理を行う場合を説明したが、音声の違和感を抑制可能な範囲で、ソフトミュートだけ、ソフトミュート及びハイカットだけ、又は、ソフトミュート及びオーディオフィルタだけの処理を行うようにしても良い。また、ソフトミュート、ハイカット、及びオーディオフィルタの音声補正に限定しなくても良い。要は、フェージングの影響による再生音の変化を抑えることが可能な音声補正を広く適用可能である。
【００５７】
また、上述した実施形態では、ＤＲＭラジオのラジオ受信機１に本発明を適用する場合を説明したが、これに限らず、ＤＲＭラジオ以外のラジオ受信機に本発明を適用することができ、例えば、ＡＭラジオ放送を受信するラジオ受信機に本発明を適用することができる。要は、音声を含む放送電波であって、フェージングの影響が再生音の変化を招く放送電波を受信し、受信信号から音声信号を得るラジオ受信機に本発明を広く適用可能である。
【符号の説明】
【００５８】
１  ラジオ受信機
１１  ラジオチューナ部
１２  信号処理部
１３  デジタルラジオデコーダ部
１４  スピーカ
１５  オーディオパワーアンプ部
１６  マイクロコンピュータ（フェージング検出部）
２１  アンテナ
２３  アナログラジオ信号処理部（音声補正部）
【図１】
0006442290.tif 000002
【図２】
0006442290.tif 000003
【図３】
0006442290.tif 000004
【図４】
0006442290.tif 000005
【図５】
0006442290.tif 000006
【図６】
0006442290.tif 000007
【図７】
0006442290.tif 000008
【図８】
0006442290.tif 000009
【図９】
0006442290.tif 000010